(57)【要約】【課題】  底ブロックと本体ブロックを組み合わせた排水路の施工において、それらの接合部に設けられる生コンクリート等の接着剤を入れるときに、流れ出るのを防ぐ当て板等を施工する必要がないようにして、作業性を向上させる。【解決手段】  施工溝を掘削し、丁張を基準にして底面を排水勾配で転圧し、施工溝の底面に底ブロック(12)を設置し、丁張を基準として底ブロック(12)の設置溝(124)に設けてある水路方向両端の高さ調整具(125)の載置部高さを調整し、両端の高さ調整具(125)の頂部間に道糸を張り、道糸を基準に中間部の高さ調整具(125)の載置部高さを調整し、高さ調整具(125)に下方が開放された本体ブロック(11)を載せ、本体ブロック(11)の高さと通りを調整し、底ブロック(12)の設置溝(124)に生コンクリートを打ち、底ブロック(12)と本体ブロック(11)を接着し、施工溝(124)に埋め戻しをし、本体ブロック(11)上面を露出させて路面を舗装する。【選択図】        図１
2006016834.tif 000002
【特許請求の範囲】
【請求項１】
底ブロック(12)と、向かい合う側壁(111,112)を有しこれらの側壁(111,112)は連結されている本体ブロック(11)を有しており、底ブロック(12)には排水路(122)が設けてあり、排水路(122)に沿う一方の側縁または両方の側縁には、上記本体ブロック(11)と組み合わせるときに上記側壁(111,112)の下端部を設置する溝(124)を有し、該溝(124)は上記下端部を固定すべく流動性を有する接着剤を入れたときに接着剤が洩れないかまたは流れ出ないように構成してあることを特徴とする、
排水路の施工構造。
【請求項２】
溝(124)は立壁(121,123)で形成され、排水路(122)は内方の立壁(121)により形成されていることを特徴とする、
請求項１記載の排水路の施工構造。
【請求項３】
排水路(122)が設けてある底ブロック(12)を施工溝底(50)に設置し、向かい合う側壁(111,112)を有しこれらの側壁(111,112)は連結されている本体ブロック(11)を、底ブロック(12)の排水路(122)に沿う一方の側縁または両方の側縁に設けてあり流動性を有する接着剤が洩れないかまたは流れ出ないよう構成してある溝(124)に上記本体ブロック(11)の側壁(111,112)の下端部を設置し、上記溝(124)に接着剤を入れ、本体ブロック(11)と底ブロック(12)を接着し一体化することを特徴とする、
排水路の施工方法。
【請求項４】
施工溝(5)を掘削し、底面(50)を排水勾配で形成するステップ、
底面(50)に排水路を有する底ブロック(12)を設置するステップ、
底ブロック(12)と組み合わせられ向かい合う側壁を有しこれらの側壁は連結されている本体ブロック(11)の高さを、高さ調整具(125)によって調整するステップ、
底ブロック(12)に設けてあり流動性を有する接着剤が洩れないかまたは流れ出ないよう構成してある溝(124)に接着剤を入れ、底ブロック(12)と本体ブロック(11)を接着し一体化するステップ、
を含むことを特徴とする、
排水路の施工方法。
【請求項５】
本体ブロック(11)の長手方向の両端部に、連設され隣り合う他の本体ブロック(11)の端部との間で幅方向のずれがなく接面したときに所定の形状の合わせ穴(116)を構成する切欠部(115)が設けてあり、合わせ穴(116)にずれ矯正具(4)を装着することを特徴とする、
請求項３または４記載の排水路の施工方法。
【請求項６】
請求項３，４または５記載の排水路の施工方法において本体ブロック(11)の高さの調整に使用するジャッキであって、
本体ブロック(11)を受ける受具(222)を備えており雌螺子部を有する部材(220)と、
雌螺子部を有する部材(220)に貫通して螺合されている螺子棒(23)と、
螺子棒(23)に設けられ本体ブロック(11)の上面より上方で操作できる回転操作部(231)と、
を備えており、
回転操作部(231)を操作して螺子棒(23)を軸周方向へ回すことにより受具(222)を昇降させることができるよう構成されていることを特徴とする、
ジャッキ。
【請求項７】
請求項５記載の排水路の施工方法に使用するずれ矯正具であって、
連設され隣り合う両本体ブロック(11)の切欠部(115)で構成される合わせ穴(116)に合致させて挿入できる挿入体(41)を備えていることを特徴とする、
ずれ矯正具。
【請求項８】
請求項３または４記載の排水路の施工方法に使用する排水路形成用ブロック組であって、
本体ブロック(11)と底ブロック(12)で構成され、
本体ブロック(11)は、互いに連結されており向かい合う側板(111,112)を有し、
底ブロック(12)は、排水路(122)と、排水路に沿う一方の側縁または両方の側縁に設けてあり流動性を有する接着剤を入れたときに接着剤が洩れないかまたは流れ出ないように構成してある溝(124)を有していることを特徴とする、
排水路形成用ブロック組。
【請求項９】
請求項５記載の排水路の施工方法に使用する排水路形成用ブロック組であって、
本体ブロック(11)と底ブロック(12)で構成され、
本体ブロック(11)は、互いに連結されており向かい合う側板(111,112)を有し、長手方向の両端部に、連設され隣り合う他の本体ブロック(11)の端部との間で幅方向のずれがなく接面したときに所定の形状の合わせ穴(116)を構成する切欠部(115)が設けてあり、
底ブロック(12)は、排水路(122)と、排水路に沿う一方の側縁または両方の側縁に設けてあり流動性を有する接着剤を入れたときに接着剤が洩れないかまたは流れ出ないように構成してある溝(124)を有していることを特徴とする、
排水路形成用ブロック組。
【請求項１０】
請求項１または２記載の排水路の施工構造を構成する底ブロックであって、
排水路(122)と、排水路に沿う一方の側縁または両方の側縁に設けてあり流動性を有する接着剤を入れたときに接着剤が洩れないかまたは流れ出ないように構成してある溝(124)を有していることを特徴とする、
底ブロック。
【請求項１１】
請求項１または２記載の排水路の施工構造を構成する底ブロックであって、
排水路(122)と、排水路に沿う一方の側縁または両方の側縁に設けてあり流動性を有する接着剤を入れたときに接着剤が洩れないかまたは流れ出ないように構成してある溝(124)と、溝(124)の底部に設けてある所要数の貫通口(128)とを有していることを特徴とする、
底ブロック。
【請求項１２】
本体ブロック(11)の高さを調整する高さ調整具(125)を備えていることを特徴とする、
請求項１０または１１記載の底ブロック。
【発明の詳細な説明】
【技術分野】
【０００１】
本発明は、排水路の施工構造及び施工方法、施工方法に使用するジャッキ、ずれ矯正具、排水路形成用ブロック組及び底ブロックに関するものである。更に詳しくは、道路脇等に設けられる排水路の施工を容易かつ迅速に行うことができるものに関する。
【背景技術】
【０００２】
道路脇等に設けられる側溝等の排水路としては、例えば下方が開放された断面形状門型の本体ブロックと底ブロックを組み合わせたブロック組が施工されている。更に、近年においては、本体ブロックと底ブロックの相互の角度を排水勾配に合わせて任意に設定して施工でき、しかも効率よく施工できるものとして、例えば特許文献１に示すような自由勾配側溝底部形成工法が提案されている。
【０００３】
特許文献１記載の工法では、まず施工溝内でプレキャストフレーム（底ブロック）を排水勾配に合うように布設する。次に、外側に当て板（堰板）を施して、フーチング上に、載置する門型側溝本体（本体ブロック）に適合する高さに調整コンクリートを打設し、上面をコテ仕上げする。そして、調整コンクリートが固化した後、敷モルタルやゴムパッキン等を介在させて水密を確保し、側溝本体を載置する。
【０００４】
【特許文献１】特開２０００−２７２７７
【発明の開示】
【発明が解決しようとする課題】
【０００５】
しかしながら、上記特許文献１記載の自由勾配側溝底部形成工法には、次のような課題があった。
（ａ）フーチング上に調整コンクリートを設ける際、生コンクリートが流れ出ないようにするための当て板等の施工は、狭い施工溝の内部での作業となり、作業性が悪いため大変な手間がかかり、コストも高くなる。
（ｂ）側溝本体を載置するためには、調整コンクリートを固化（または硬化）させる必要がある。このため、養生期間が必要になり、必然的に工期も長くなってしまう。
（ｃ）側溝本体とプレキャストフレームの接合部である敷モルタルやゴムパッキン等を介在させた部分では、水密は確保できても接着力は十分ではない。このため、側溝本体とプレキャストフレームを組み合わせた構造体としての強度が十分でなく、施工後にずれたり離れたりして排水に支障を来す可能性がある。
【０００６】
（本発明の目的）
本発明の目的は、底ブロックと本体ブロックを組み合わせた排水路の施工において、それらの接合部に設けられる生コンクリート等の接着剤を入れるときに、流れ出るのを防ぐ当て板等を施工する必要がなく、作業性に優れ、コストも安価にできるようにすることである。
【０００７】
本発明の他の目的は、底ブロックと本体ブロックを組み合わせるときに、生コンクリート等の接着剤を固化させるための養生期間を必要とせず、比較的短い工期で施工できるようにすることである。
【０００８】
本発明の更に他の目的は、底ブロックと本体ブロックを組み合わせ一体化したときの水密性と接合強度を確保して、施工後にずれたり離れたりしないようにして排水に支障を来すことがないようにすることである。
【課題を解決するための手段】
【０００９】
上記課題を解決するために本発明が講じた手段は次のとおりである。
【００１０】
第１の発明にあっては、
底ブロックと、向かい合う側壁を有しこれらの側壁は連結されている本体ブロックを有しており、底ブロックには排水路が設けてあり、排水路に沿う一方の側縁または両方の側縁には、上記本体ブロックと組み合わせるときに上記側壁の下端部を設置する溝を有し、該溝は上記下端部を固定すべく流動性を有する接着剤を入れたときに接着剤が洩れないかまたは流れ出ないように構成してあることを特徴とする、
排水路の施工構造である。
【００１１】
第２の発明にあっては、
溝は立壁で形成され、排水路は内方の立壁により形成されていることを特徴とする、
第１の発明に係る排水路の施工構造である。
【００１２】
第３の発明にあっては、
排水路が設けてある底ブロックを施工溝底に設置し、向かい合う側壁を有しこれらの側壁は連結されている本体ブロックを、底ブロックの排水路に沿う一方の側縁または両方の側縁に設けてあり流動性を有する接着剤が洩れないかまたは流れ出ないよう構成してある溝に上記本体ブロックの側壁の下端部を設置し、上記溝に接着剤を入れ、本体ブロックと底ブロックを接着し一体化することを特徴とする、
排水路の施工方法である。
【００１３】
第４の発明にあっては、
施工溝を掘削し、底面を排水勾配で形成するステップ、
底面に排水路を有する底ブロックを設置するステップ、
底ブロックと組み合わせられ向かい合う側壁を有しこれらの側壁は連結されている本体ブロックの高さを、高さ調整具によって調整するステップ、
底ブロックに設けてあり流動性を有する接着剤が洩れないかまたは流れ出ないよう構成してある溝に接着剤を入れ、底ブロックと本体ブロックを接着し一体化するステップ、
を含むことを特徴とする、
排水路の施工方法である。
【００１４】
第５の発明にあっては、
本体ブロックの長手方向の両端部に、連設され隣り合う他の本体ブロックの端部との間で幅方向のずれがなく接面したときに所定の形状の合わせ穴を構成する切欠部が設けてあり、合わせ穴にずれ矯正具を装着することを特徴とする、
第３または第４の発明に係る排水路の施工方法である。
【００１５】
第６の発明にあっては、
第３、第４または第５の発明に係る排水路の施工方法において本体ブロックの高さの調整に使用するジャッキであって、
本体ブロックを受ける受具を備えており雌螺子部を有する部材と、
雌螺子部を有する部材に貫通して螺合されている螺子棒と、
螺子棒に設けられ本体ブロックの上面より上方で操作できる回転操作部と、
を備えており、
回転操作部を操作して螺子棒を軸周方向へ回すことにより受具を昇降させることができるよう構成されていることを特徴とする、
ジャッキである。
【００１６】
第７の発明にあっては、
第５の発明に係る排水路の施工方法に使用するずれ矯正具であって、
連設され隣り合う両本体ブロックの切欠部で構成される合わせ穴に合致させて挿入できる挿入体を備えていることを特徴とする、
ずれ矯正具である。
【００１７】
第８の発明にあっては、
第３または第４の発明に係る排水路の施工方法に使用する排水路形成用ブロック組であって、
本体ブロックと底ブロックで構成され、
本体ブロックは、互いに連結されており向かい合う側板を有し、
底ブロックは、排水路と、排水路に沿う一方の側縁または両方の側縁に設けてあり流動性を有する接着剤を入れたときに接着剤が洩れないかまたは流れ出ないように構成してある溝を有していることを特徴とする、
排水路形成用ブロック組である。
【００１８】
第９の発明にあっては、
第５の発明に係る排水路の施工方法に使用する排水路形成用ブロック組であって、
本体ブロックと底ブロックで構成され、
本体ブロックは、互いに連結されており向かい合う側板を有し、長手方向の両端部に、連設され隣り合う他の本体ブロックの端部との間で幅方向のずれがなく接面したときに所定の形状の合わせ穴を構成する切欠部が設けてあり、
底ブロックは、排水路と、排水路に沿う一方の側縁または両方の側縁に設けてあり流動性を有する接着剤を入れたときに接着剤が洩れないかまたは流れ出ないように構成してある溝を有していることを特徴とする、
排水路形成用ブロック組である。
【００１９】
第１０の発明にあっては、
第１または第２の発明に係る排水路の施工構造に使用する底ブロックであって、
排水路と、排水路に沿う一方の側縁または両方の側縁に設けてあり流動性を有する接着剤を入れたときに接着剤が洩れないかまたは流れ出ないように構成してある溝を有していることを特徴とする、
底ブロックである。
【００２０】
第１１の発明にあっては、
第１または第２の発明に係る排水路の施工構造に使用する底ブロックであって、
排水路と、排水路に沿う一方の側縁または両方の側縁に設けてあり流動性を有する接着剤を入れたときに接着剤が洩れないかまたは流れ出ないように構成してある溝と、溝の底部に設けてある所要数の貫通口とを有していることを特徴とする、
底ブロックである。
【００２１】
第１２の発明にあっては、
本体ブロックの高さを調整する高さ調整具を備えていることを特徴とする、
第１０または第１１の発明に係る底ブロックである。
【００２２】
高さ調整具としては、インサートナットにボルトを螺合した構造、所要厚さのブロックを重ねて調整する構造等、公知の各手段を採用することができ、特に限定するものではない。
接着剤としては、生コンクリート、セメントモルタル、合成樹脂、天然樹脂等、公知のものを採用することができ、特に限定するものではない。
【００２３】
（作用）
本発明に係る排水路の施工構造、ジャッキ、ずれ矯正具、排水路形成用ブロック組及び底ブロックのそれぞれの作用を説明する。なお、ここでは、本発明の各構成要件のそれぞれに、後述する実施の形態において各部に付与した符号を対応させて付与し説明するが、この符号の付与は、あくまで説明の理解を助けるためであって各構成要件の上記各部への限定を意味するものではない。
【００２４】
本発明に係る排水路の施工構造及び排水路形成用ブロック組は次のように作用する。
まず、底ブロック(12)を施工溝の底(50)等に、例えば排水勾配に合わせて設置する。本体ブロック(11)を、例えば高さを調整して各側壁(111,112)を溝(124)に設置する。そして、溝(124)に生コンクリート等の流動性を有する接着剤を入れる。溝(124)からは接着剤が洩れたり流れ出たりすることはないので、洩れを防ぐための当て板等の施工は不要であり、作業がしやすい。
【００２５】
また、例えば底ブロック(12)と本体ブロック(11)を組み合わせるときに、本体ブロック(11)の高さを高さ調整具等によって調整しておけば、生コンクリート等の接着剤を固化させるための養生期間は不要である。
更に、底ブロック(12)と本体ブロック(11)は、接着剤により組み合わせられるので、施工後にずれたり離れたりしにくい。
【００２６】
本発明に係るジャッキ(2)は次のように作用する。
ジャッキ(2)は、本体ブロック(11)を底ブロック(12)の設置溝(124)に設けられた高さ調整具(125)に載置した後で、更に高さの微調整を行うときに使用される。
【００２７】
螺子棒(23)の下端部を底ブロック(12)の設置溝(124)底面に直接または間接的に当接させ、受具(222)を下方から本体ブロック(11)の側板(111,112)底部に当てる。ジャッキ(2)は、通常は本体ブロック(11)の幅方向両側で同時に使用する。
そして、ハンドル等の回転操作部(231)を回して螺子棒(23)を所要方向に回転させる。これにより、雌螺子部を有する部材(220)すなわち受具(222)が上昇し、本体ブロック(11)が持ち上げられる。回転操作部(231)は本体ブロック(11)の上面より上方にあるので、操作がしやすい。
【００２８】
本体ブロック(11)が高さ調整具(125)の載置部高さから浮いたところで、載置部高さを、本体ブロック(11)の高さが高すぎて調整するときは低くし、本体ブロック(11)の高さが低すぎて調整するときは高くして調整する。螺子棒(23)を上記とは反対方向へ回し、本体ブロック(11)を高さ調整具(125)に載置し、その高さを道糸(8)等を基準として確認する。高さが合っていないときは、上記作業を繰り返して高さを合わせる。
【００２９】
本発明に係るずれ矯正具(4)は次のように作用する。
まず、連設され隣り合う両本体ブロック(11)の端部を当接させ、両方の端部に設けてある切欠部(115)を合わせて合わせ穴(116)を構成する。このとき、合わせ穴(116)は必ずしもずれのないように合わせる必要はなく、大体でもよい。
【００３０】
そして、ずれ矯正具(4)の挿入体(41)を合わせ穴(116)に挿入する。両切欠部(115)のずれが大きく、挿入体(41)が入りにくいときには、連設する側の本体ブロック(11)を動かして挿入できるようにする。合わせ穴(116)に挿入体(115)を合致させ挿入できた時点で両本体ブロック(11)の位置は幅方向にずれのない位置に調整されている。
【００３１】
溝(124)に貫通口(128)を有する底ブロック(12)は、流動性を有する接着剤を溝に入れたときに接着剤が貫通口(128)を通って施工溝の底(50)に接着し、排水路の構造物としての強度が高まる。
【００３２】
載置される本体ブロック(11)の高さを調整する高さ調整具(125)を備えている底ブロック(12)は、高さ調整具(125)により本体ブロック(12)を所要の高さで支えることができ、例えばコンクリートで支える場合のような固化するまでの養生期間は不要である。
【発明の効果】
【００３３】
（ａ）本発明に係る排水路の施工方法及び施工構造によれば、底ブロックの溝から接着剤が洩れたり流れ出たりすることはないので、洩れを防ぐための当て板等の施工は不要である。これにより、作業がしやすく、短い工期で安価に施工できる。
【００３４】
（ｂ）底ブロックと本体ブロックを組み合わせるときに、本体ブロックの高さを高さ調整具によって調整するようにした施工方法によれば、接着剤を固化させるための養生期間は不要であり、比較的短い工期で施工することができる。
【００３５】
（ｃ）底ブロックと本体ブロックは、接着剤により接着して組み合わせられるので、施工後にずれたり離れたりしにくく、排水に支障を来すことを防止できる。
【００３６】
（ｄ）本発明に係るジャッキによれば、螺子棒の回転操作部を操作して所要方向に回転させることにより、受具によって本体ブロックを持ち上げることができる。これにより、例えば本体ブロックの高さを高さ調整具によって調整した後でも再度微調整を行うことができ、作業機を使用して本体ブロックをワイヤロープで吊り上げる等の手間の掛かる作業は不要になる。また、回転操作部は本体ブロックの上面より上方にあるので、操作がしやすい。
【００３７】
（ｅ）本発明に係るずれ矯正具によれば、連設され隣り合う両本体ブロックの端部を当接させて両方の端部に設けてある切欠部を合わせて構成された合わせ穴にずれ矯正具の挿入体を挿入することにより、両本体ブロックの位置を幅方向にずれのない位置に調整でき、これによる通りの調整もできる。
【００３８】
（ｆ）本発明に係る排水路形成用ブロック組は、底ブロックに設けてある溝の作用により接着剤が洩れたり流れ出たりしないので、底ブロックと本体ブロックを接着する接着剤の洩れた流れ出しを防ぐための当て板等の施工は不要であり、作業性が向上するので短い工期での施工ができる。
【００３９】
（ｇ）溝に貫通口を有する底ブロックは、流動性を有する接着剤を溝に入れたときに接着剤が貫通口を通って施工溝の底に接着し、排水路の構造物としての強度が高まる。これにより施工後の位置のずれ等が生じにくく、排水に支障を来すことを防止できる。また、底ブロックを軽量化できる。
【００４０】
（ｈ）載置される本体ブロックの高さを調整する高さ調整具を備えている底ブロックは、高さ調整具により本体ブロックを所要の高さで支えることができ、例えばコンクリートで支える構造のようなコンクリートが固化するまでの養生期間は不要である。これにより、工期の短縮を図ることができる。
【発明を実施するための最良の形態】
【００４１】
本発明を図に示した実施例に基づき詳細に説明する。
【実施例】
【００４２】
図１は本発明に係る排水路形成用ブロック組の構造を示す分解斜視図である。
【００４３】
排水路形成用ブロック組１は、コンクリート製の本体ブロック１１と底ブロック１２で構成されている。本体ブロック１１は、上板１１０と、その両側から向かい合って下方へ設けられた側板１１１、１１２を有しており、側板１１１、１１２は上板１１０で連結された構造である。本体ブロックは、後述の構造に限定されるものではなく、上部で通水可能であり下方が開放された構造であれば各種の公知のブロックが採用できる。
【００４４】
上板１１０には、長手方向中間部に、長方形状の開口１１３が設けてある。開口１１３の長手方向の長さは、上板１１０の長さの約１／２であるが、限定はされない。開口１１３の口縁下部には載置段部（図示省略）が設けてある。載置段部には、開口１１３をほぼ塞ぐように二枚の蓋体１１４が被せてある。各蓋体１１４は長方形の板状であり、長手方向の一端部にそれぞれ通水用の切欠部１１７が設けてある。
【００４５】
上板１１０の長手方向の両端辺部には、幅方向において両側に切欠部１１５が上板１１０の上下面を貫通して設けてある。切欠部１１５は、連設され隣り合う他の本体ブロック１１の長手方向端辺部に設けてある他の切欠部１１５とずれがなく丁度合わさることによって、六角穴状の合わせ穴１１６が形成される形状を有している。切欠部１１５は、同じ幅の長方形状の三面で構成されている。
【００４６】
底ブロック１２は、長方形の直板状のベース１２０を有している。ベース１２０の幅方向中央部には、立設してある立壁である溝形成板１２１で挟まれて排水路１２２が全長にわたり設けてある。排水路１２２の底部は、断面円弧状の曲面となっている。
また、ベース１２０の幅方向両端部には、上記溝形成板１２１よりやや低い立壁である溝形成板１２３が立設してある。これにより、排水路１２２の幅方向において両側には、排水路１２２に沿うようにそれぞれ溝形成板１２１、１２３で挟まれて設置溝１２４が全長にわたり設けてある。
【００４７】
各設置溝１２４には、それぞれ長手方向に所要の間隔をおいて二箇所に長方形状の貫通口１２８が設けてある。各貫通口１２８は、下方がやや窄まるように形成してある。
また、各設置溝１２４の溝形成板１２１寄りには、底ブロック１２の長手方向の四箇所に高さ調整具１２５が設けてある。高さ調整具１２５は、ベース１２０に上下を貫通して設けられたインサートナット１２６にボルト１２７を螺合した構造である。高さ調整具１２５は、ボルト１２７を回すことによって本体ブロック１１を載置する載置部であるヘッドの高さを無段階に調整することができる。
なお、高さ調整具は底ブロック１２ではなく上記本体ブロック１１の側板１１１、１１２の底部に設けることもできる。
【００４８】
底ブロック１２の各溝形成板１２１は、上記本体ブロック１１の側板１１１、１１２の内側にほぼ隙間なく収まるよう設けてある。なお、各溝形成板１２１と側板１１１、１１２の間には多少の隙間があってもよい。また、各溝形成板１２３は、側板１１１、１１２との間に間隙が形成されるよう設けてある。
なお、排水路形成用ブロック組１の使用方法は、後述する排水路の施工方法において説明する。
【００４９】
図２は本発明に係るジャッキの構造を示す斜視図、
図３はジャッキの使用状態を示す説明図である。
【００５０】
ジャッキ２は、座体２１、昇降体２２及び螺子棒２３により構成されている。
座体２１は、平板状の座板２１０を有し、その両端側には、上方へ向け弾性を有する棒状のガイド体２１１が立設してある。各ガイド体２１１は、上方が互いに徐々に近づくように湾曲させてある。
【００５１】
座体２１には、ガイド体２１１に渡すように昇降体２２が昇降可能に取り付けられている。昇降体２２は、雌螺子を有する螺子管２２０を有する。螺子管２２０は縦方向に設けられ、その両側上部には摺動管２２１が同じく縦方向に設けてある。各摺動管２２１に渡すようにしてＬ板形状の受具２２２が固着されている。また、一方側の摺動管２２１の側部には、本体ブロック１１の側板１１１に当接して螺子管２２０の回転を止める棒状の邪魔部材２２３が縦方向に設けられている。邪魔部材２２３の上端部には、ハンドル板２２４が固着してある。
【００５２】
昇降体２２は、各摺動管２２１をそれぞれガイド体２１１に嵌め入れて昇降できるようにして取り付けてある。なお、ガイド体２１１は上記したように平行ではないため、昇降体２２が昇降移動するときの摩擦力が抵抗となる。これにより、昇降体２２は、無負荷の場合は自重でも落下せず、所要の位置に停止している。
【００５３】
昇降体２２の螺子管２２０には、先端部の螺子部２３０を螺合して螺子棒２３が取り付けてある。螺子棒２３の上端部は、螺子棒２３とＴ字を形成するハンドル２３１となっている。また、螺子管２２０に螺合された螺子部２３０の先端部は、上記座体２１の座板２１０に当たるようにしてある。螺子棒２３の長手方向中間部には、挿通管２３２が上下方向の位置が変えられるように、かつ周方向に回動できるようにして設けてある。挿通管２３２の上部には、施工時において本体ブロック１１の上面の高さの基準として張設される道糸８を除けることができるように逆Ｌ板状の通し片２３３が設けてある。
なお、ジャッキ２の使用方法は、後述する排水路の施工方法において説明する。
【００５４】
図４は本発明に係るずれ矯正具の構造と使用方法を示す分解斜視図である。
ずれ矯正具４は、金属製である。ずれ矯正具４は挿入体４１を備えており、挿入体４１は所要長さの正六角柱形状を有している。なお、挿入体４１の形状及びサイズはこれに限定されるものではなく、例えば四角柱形状等の他の多角柱形状、円柱形状等、本体ブロック１１に設けられている切欠部１１５が二つ合わさって構成される合わせ穴１１６に合致する形状及びサイズに適宜形成される。
【００５５】
挿入体４１の側面上端部には、挿入体４１と直角方向に当接板４３が設けてある。当接板４３が本体ブロック１１の上板１１上面に当たることにより挿入体４１の挿入深さが一定に保たれる。当接板４３の挿入体固着側の端辺部には、逆Ｕ字状の把手４２が設けてある。
なお、ずれ矯正具４の使用方法は、後述する排水路の施工方法において説明する。
【００５６】
（排水路の施工方法）
排水路形成用ブロック組、ジャッキ、ずれ矯正具の使用方法を含め、本発明に係る排水路の施工方法及び施工構造を説明する。
【００５７】
図５は本発明に係る排水路の施工方法を示し、施工溝の掘削から底ブロックの設置までの工程を示す説明図、
図６は本発明に係る排水路の施工方法を示し、高さ調整具の調整から本体ブロックの設置までの工程を示す説明図、
図７は本発明に係る排水路の施工方法を示し、接着コンクリートの打設から路面の舗装までの工程を示す説明図である。
【００５８】
（１）施工溝５を掘削し（図５（１）参照）、底面をクラッシャーラン転圧を行う（図５（２）参照）。このとき、ゲージである丁張６を基準にして（図５（３）参照）、転圧部５０を排水勾配に合わせて仕上げる。なお、転圧部５０は、更にコンクリートで仕上げることもできる。
（２）施工溝５の底面となる転圧部５０に、底面全体を接面させて底ブロック１２を設置する（図５（４）参照）。このとき、敷き砂等を使用して底ブロック１２の角度をより正確に排水勾配に合わせるようにする。
【００５９】
（３）丁張６を基準として、メジャー７を使用し、底ブロック１２の設置溝１２４に設けてある水路方向の前後両端の高さ調整具１２５の載置部（ボルト１２７のヘッド上端部）の高さを調整する（図６（５）参照）。この高さは、丁張６のうち本体ブロック１１の上面高さを表す基準部材６０の下面から同じ距離で合わせられる。すなわち、上流側の高さ調整具１２５の方が低くなる（突出長が短くなる）。
【００６０】
（４）両端の高さ調整具２１５の載置部間に道糸８を張り、道糸８を基準に中間部の高さ調整具１２５の載置部高さを調整する（図６（６）参照）。
（５）高さ調整具１２５に下方が開放された本体ブロック１１の側板１１１、１１２の底面部を載せる。このとき、排水路１２２を構成する両溝形成板１２１は、本体ブロックの側板１１１、１１２にほぼ接してその間に収まる（図６（７）参照）。
【００６１】
そして、本体ブロック１１の高さと通りの調整を行う。本体ブロック１１を高さ調整具１２５に載置した後で高さの微調整を行う場合には、ジャッキ２を使用する。まず、二本のジャッキ２を用意し、各ジャッキ２の座板２１０をそれぞれ底ブロック１２の設置溝１２４底面に当接させ、受具２２２を下方から本体ブロック１１の側板１１１、１１２の底部に当てるか、または下方に位置させる。また、挿通管２３２を側板１１１、１１２表面に当接させる。
【００６２】
そして、ハンドル２３１を回して螺子棒２３を所要方向に回転させる。螺子棒２３は、挿通管２３２の作用で側板１１１、１１２表面に直接当たることはないので回転させやすい。また、邪魔部材２２３が回転移動し側板１１１、１１２表面に当たるので、螺子管２２０は螺子棒２３の回転に伴ってそれ以上回ることはなく、螺子管２２０及びこれと一体となった受具２２２が上昇し、本体ブロック１１が持ち上げられる。
【００６３】
本体ブロック１１が高さ調整具１２５の載置部高さから浮いたところで（接触している箇所もある）、ボルト１２７を回して載置部高さを調整する。そして、螺子棒２３を上記とは反対方向へ回し、本体ブロック１１を降ろして高さ調整具１２５に載置し、その高さを道糸８等を基準として確認する。高さが合っていないときは、上記作業を繰り返して高さを合わせる。なお、作業性は上記方法に劣るが、ジャッキ２を一本だけ使用し、本体ブロック１１の片側だけを交互に持ち上げて調整を行うこともできる。
【００６４】
また、連設される本体ブロック１１の幅方向のずれをなくし、通りを調整するためにずれ矯正具４を使用する。まず、連設され隣り合う両本体ブロック１１の端部を当接させ、両方の端部に設けてある切欠部１１５を合わせて合わせ穴１１６を構成する。このとき、切欠部１１５は必ずしもずれが全くないように合わせる必要はなく、大体でもよい。
そして、ずれ矯正具４の挿入体４１を合わせ穴１１６に挿入する。両切欠部１１５のずれが大きく、挿入体４１が入りにくいときには、連設する側の本体ブロック１１を動かして微調整をして挿入できるようにする。合わせ穴１１６に挿入体４１を合致させ挿入できた時点で両本体ブロック１１の位置は幅方向にずれのない位置に調整され、通りも調整されている。
【００６５】
（６）本体ブロック１１の位置（高さ、方向）が決まったところで、底ブロック１２の設置溝１２４に生コンクリート９を打って、各高さ調整具１２５を埋め殺すようにし、更に本体ブロック１１の側板１１１、１１２の底部を生コンクリート９に埋没させる。このとき、設置溝１２４の作用により、生コンクリート９が横から洩れないので、生コンクリート９を打つ際に洩れを防ぐ当て板等の施工は不要である（図７（８）参照）。また、生コンクリート９は貫通口１２８を通り転圧部５０に接着する。
（７）本体ブロック１１は各高さ調整具１２５で支えられているので、生コンクリート９の固化を待たずに施工溝５に埋め戻しをすることができる（図７（９）参照）。
（８）本体ブロック１１上面を露出させて路面を舗装する（図７（１０）参照）。そして、生コンクリート９の養生が進み固化することにより、排水路の施工構造を構成する底ブロック１２と本体ブロック１１の間には水密性が付与され、強固に一体化される。また、貫通口１２８を通る生コンクリート９の固化により、排水路形成用ブロック組１は施工溝５の転圧部５０に強固に接着される。
【００６６】
図８は底ブロックの他の実施の形態を示す斜視図である。
本実施の形態に係る底ブロック１２ａは、一方の溝形成板１２３が設けられておらず、ベース１２０の一方側の底部幅が本体ブロック１１の側板１１２の厚さと同じになるよう形成してある点において上記した底ブロック１２と異なっており、他の部分の構造は同じである。
底ブロック１２ａは、例えば道路脇に設けてある構造物に本体ブロック１１を当接させて施工しなければならない場合に使用されるものであり、底ブロックの幅方向の端部が構造物に当たることを防止し、邪魔にならないようにしたものである。
【００６７】
なお、本明細書で使用している用語と表現は、あくまで説明上のものであって限定的なものではなく、上記用語、表現と等価の用語、表現を除外するものではない。また、本発明は図示されている実施の形態に限定されるものではなく、技術思想の範囲内において種々の変形が可能である。
【図面の簡単な説明】
【００６８】
【図１】本発明に係る排水路形成用ブロック組の構造を示す分解斜視図。
【図２】本発明に係るジャッキの構造を示す斜視図。
【図３】ジャッキの使用状態を示す説明図。
【図４】本発明に係るずれ矯正具の構造と使用方法を示す分解斜視図。
【図５】本発明に係る排水路の施工方法を示し、施工溝の掘削から底ブロックの設置までの工程を示す説明図。
【図６】本発明に係る排水路の施工方法を示し、高さ調整具の調整から本体ブロックの設置までの工程を示す説明図。
【図７】本発明に係る排水路の施工方法を示し、接着コンクリートの打設から路面の舗装までの工程を示す説明図。
【図８】底ブロックの他の実施の形態を示す斜視図。
【符号の説明】
【００６９】
１  排水路形成用ブロック組
１１  本体ブロック
１１０  上板
１１１、１１２  側板
１１３  開口
１１４  蓋体
１１７  切欠部
１１５  切欠部
１１６  合わせ穴
１２、１２ａ  底ブロック
１２０  ベース
１２１  溝形成板
１２２  排水路
１２３  溝形成板
１２４  設置溝
１２５  高さ調整具
１２６  インサートナット
１２７  ボルト
１２８  貫通口
２  ジャッキ
２１  座体
２１０  座板
２１１  ガイド体
２２  昇降体
２２０  螺子管
２２１  摺動管
２２２  受具
２２３  邪魔部材
２２４  ハンドル板
２３  螺子棒
２３０  螺子部
２３１  ハンドル
２３２  挿通管
２３３  通し片
３  吊り具
３１  係合体
３１０  取付具
３１１  係合部
３２  ワイヤロープ
４  ずれ矯正具
４１  挿入体
４２  把手
４３  当接板
５  施工溝
５０  溝底部
６  丁張
６０  基準部材
７  メジャー
８  道糸
９  生コンクリート
【図１】
2006016834.tif 000003
【図２】
2006016834.tif 000004
【図３】
2006016834.tif 000005
【図４】
2006016834.tif 000006
【図５】
2006016834.tif 000007
【図６】
2006016834.tif 000008
【図７】
2006016834.tif 000009
【図８】
2006016834.tif 000010